(57)【要約】  通常は定電流位相の後に定電圧位相が続く急速充電プロセスを動作する電池間充電システムが説明されている。ところが、第二の電池を充電するために使用される第一の電池が、急速充電プロセスの実施に充分に高い電圧をもはや供給できなくなった時には、充電プロセスが「定電流位相」中の充電電流を減少させるように適合され、それにより第一の電池の電圧が最小電圧閾値よりも高く維持される。これにより、第一の電池は、急速充電を実施できないにもかかわらず、少なくとも１回以上の充電サイクルで第二の電池を充電することができる。【選択図】図４
2017539191.tif 000002
【特許請求の範囲】
【請求項１】
第一の電池から第二の電池を充電する方法であって、
前記第一の電池の出力電圧を閾値電圧と比較する工程と、
前記第一の電池からの前記出力電圧が前記閾値電圧と等しいかまたはそれより大きい時に、第一の電流を使用して前記第二の電池を充電する工程と、
前記第一の電池からの前記出力電圧が前記閾値電圧よりも小さい時に、前記第一の電池の前記出力電圧が第二の閾値電圧と等しいかまたはそれより大きくなるまで前記第一の電流を低減させる工程とを含む、方法。
【請求項２】
前記第二の閾値電圧が前記第一の閾値電圧に等しい、請求項１に記載の方法。
【請求項３】
前記電流を減少させる工程が、前記第一の電池と前記第二の電池の間に接続された電力変換装置にかけられる電圧パルスの負荷サイクルを低減する工程を含む、請求項１または２に記載の方法。
【請求項４】
前記比較の工程が、前記第二の電池の充電中に反復的に実施され、また前記低減の工程が、前記比較の工程の結果後に、前記第一の電池と前記第二の電池の間に接続された電力変換装置に電圧パルスを適用しない工程を含む、請求項１〜３のいずれか１項に記載の方法。
【請求項５】
前記第一の電池からの前記出力電圧が前記閾値電圧と等しいかまたはそれより大きい時に、一定の第一の電流を使用して前記第二の電池を充電する工程と、前記第二の電池にかかる前記充電電圧が最大許容電圧に達するかまたは前記第一の電池からの前記出力電圧が前記閾値電圧よりも小さい時に充電電流を減少させる工程とを含む、請求項１〜４のいずれか１項に記載の方法。
【請求項６】
前記第二の電池にかかる前記充電電圧が最大許容電圧に達するかまたは前記第一の電池からの前記出力電圧が前記閾値電圧よりも小さい時に、前記第一の電池にかかる前記充電電圧を前記最大許容電圧かまたはそれに近い電圧に維持するために前記充電電流を減少させる、請求項６に記載の方法。
【請求項７】
充電装置であって、
前記装置に接続された二次電池を充電するよう構成された第一の電池と、前記二次電池の充電を制御するよう構成された制御回路とを備え、前記制御回路が、
前記第一の電池の出力電圧を閾値電圧と比較し、
前記第一の電池からの前記出力電圧が前記閾値電圧と等しいかまたはそれより大きい場合に、第一の電流を使用して前記第二の電池を充電し、
前記第一の電池からの前記出力電圧が前記閾値電圧よりも小さい場合に、前記第一の電池の前記出力電圧が第二の閾値電圧と等しいかまたはそれより大きくなるまで前記第一の電流を減少させるように構成される、充電装置。
【請求項８】
前記制御回路が、前記第一の電池からの前記出力電圧が前記閾値電圧と等しいかまたはそれより大きい時に、一定の第一の電流を使用して前記第二の電池を充電し、前記第二の電池にかかる前記充電電圧が最大許容電圧に達するかまたは前記第一の電池からの前記出力電圧が前記閾値電圧よりも小さい時に、前記充電電流を減少させるように構成される、請求項７に記載のシステム。
【請求項９】
前記制御回路が、前記第二の電池にかかる前記充電電圧が最大許容電圧に達するかまたは前記第一の電池からの前記出力電圧が前記閾値電圧よりも小さい時に、前記第一の電池にかかる前記充電電圧を前記最大許容電圧かまたはそれに近い電圧に維持するために前記充電電流を減少させるように構成される、請求項８に記載のシステム。
【請求項１０】
前記第一の電池と前記第二の電池の間に接続された電力変換装置を備え、前記第一の電池から前記電力変換装置にかけられる電圧パルスの前記負荷サイクルを低減することにより、前記制御回路が前記第一の電流を減少させるように構成される、請求項７、８または９に記載のシステム。
【請求項１１】
前記制御回路が、前記第二の電池の充電中に前記第一の電池の前記出力電圧を前記閾値電圧と定期的に比較するように構成される、請求項７、８、９または１０のいずれか１項に記載のシステム。
【請求項１２】
前記制御回路が、前記比較の工程の結果後に、前記第一の電池と前記第二の電池の間に接続された電力変換装置に電圧パルスを適用しないことにより前記第一の電流を減少させるように構成される、請求項１１に記載のシステム。
【請求項１３】
充電装置内のプロセッサ上で実行した時、前記充電装置が前記装置に接続された二次電池を充電するよう構成された第一の電池を持ち、前記プロセッサが前記二次電池の充電を制御するように構成されており、前記プロセッサに請求項１〜６のいずれか１項に記載の方法を実行させる、コンピュータプログラム。
【請求項１４】
請求項１３に記載のコンピュータプログラムを格納する、コンピュータ可読記憶媒体。
【発明の詳細な説明】
【技術分野】
【０００１】
本開示は、一つの電池を使用して別の電池を再充電し、また別の電池からのリチウムイオン電池を充電するのに特に有利なシステムに関連する。
【背景技術】
【０００２】
リチウムイオン電池は通常、定電流位相の後に定電圧位相を使用して充電される。定電流位相では、二次電池の電圧は、電池の電圧が既定の電圧限度Ｖchに達するまで一定の最大充電電流Ｉchを維持するために調節されるが、ＩchおよびＶchは電池の属性によって設定される。定電圧位相では、電流が所定の値Ｉlow以下に低下するまで、電池での電圧が固定値Ｖchに維持される。急速充電では、定電流位相の長さを最大化することが望ましい。
【０００３】
第二の電池が定電流位相で充電される際は、充電電圧を増大して、第二の電池の電圧の増大を補う必要がある。したがって、定電流位相は、充電用電池から利用可能な最小充電電圧が必要とされる。
【０００４】
電池間充電システムでは、充電用電池の老化に伴いその内部抵抗は増大し、その結果供給可能な電圧が減少する。急速充電動作に要求される最低電圧の供給がもはやできなくなると、充電用電池は再充電または交換されなければならない。
【０００５】
急速充電を提供できるが、現時点で入手できるシステムと比較した時に、充電用電池を再充電または交換する必要が生じる前に充電サイクル数の増大に対応できる、電池間充電システムを提供することが本発明の目的である。
【発明の概要】
【０００６】
本発明の第一の態様では、第一の電池から第二の電池を充電する方法が提供されており、工程は、
【０００７】
第一の電池の出力電圧を閾値電圧と比較する工程と、
【０００８】
第一の電池からの出力電圧が閾値電圧と等しいかまたはそれより大きい時に、第一の電流を使用して第二の電池を充電する工程と、
【０００９】
第一の電池からの出力電圧が閾値電圧よりも小さい時に第一の電流を減少させる工程とを含む。
【００１０】
第一の電流は、第一の電池の出力電圧が第二の閾値電圧と等しいかまたはそれより大きくなるまで減少させうる。第二の閾値電圧は、第一の閾値電圧と等しくてもよく、または第一の閾値電圧と異なっていてもよい。
【００１１】
電流を減少させる工程は、第一の電池と第二の電池の間に接続された電力変換装置にかけられる電圧パルスの負荷サイクルを減少させる工程を含みうる。
【００１２】
比較の工程は、第二の電池の充電中に反復的に実施されうる。減少の工程は、比較の工程の結果後に、第一の電池と第二の電池の間に接続された電力変換装置に電圧パルスを適用しない工程を含みうる。
【００１３】
電流を減少させる工程は、電流パルスが第二の電池に適用される周波数を低減する工程を含みうる。
【００１４】
方法は、第一の電池からの出力電圧が閾値電圧と等しいかまたはそれより大きい時に、一定の第一の電流を使用して第二の電池を充電する工程と、第二の電池にかかる充電電圧が最大許容電圧に達するかまたは第一の電池からの出力電圧が閾値電圧よりも小さい時に充電電流を減少させる工程とを含みうる。
【００１５】
第二の電池にかかる充電電圧が最大許容電圧に達するかまたは第一の電池からの出力電圧が閾値電圧よりも小さい時に、充電電流を第一の電池にかかる充電電圧を最大許容電圧かまたはそれに近い電圧に維持するように減少させうる。
【００１６】
方法は、充電電流が最低電流閾値よりも小さいかまたはそれに等しい電流に低下した時に、第二の電池の充電を停止する工程を含みうる。
【００１７】
第二の電池はリチウムイオン電池としうる。
【００１８】
本発明の第二の態様では、充電装置が提供されているが、これは、
【００１９】
装置に接続された二次電池を充電するよう構成された第一の電池と、二次電池の充電を制御するよう構成された制御回路とを備えるが、ここで制御回路は、
【００２０】
第一の電池の出力電圧を閾値電圧と比較し、
【００２１】
第一の電池からの出力電圧が閾値電圧と等しいかまたはそれより大きい場合に、第一の電流を使用して第二の電池を充電し、
【００２２】
第一の電池からの出力電圧が閾値電圧よりも小さい場合に、第一の電流を減少させるように構成される。
【００２３】
制御回路は、第一の電池の出力電圧が第二の閾値電圧と等しいかまたはそれより大きくなるまで、第一の電流を減少させるように構成されうる。第二の閾値電圧は、第一の閾値電圧と等しくてもよく、または第一の閾値電圧と異なっていてもよい。
【００２４】
充電装置は、第一の電池と第二の電池の間に接続された電力変換装置を備え、制御回路は、第一の電池から電力変換装置に適用される電圧パルスの負荷サイクルを低減することにより、第一の電流を減少させるように構成されうる。
【００２５】
制御回路は、第二の電池の充電中に定期的に、第一の電池の出力電圧を閾値電圧と比較するように構成されうる。制御回路は、比較の工程の結果後に、第一の電池と第二の電池の間に接続された電力変換装置に電圧のパルスを適用しないことにより、第一の電流を減少させるように構成されうる。
【００２６】
制御回路は、第一の電池からの出力電圧が閾値電圧と等しいかまたはそれより大きい時に、一定の第一の電流を使用して第二の電池を充電し、第二の電池にかかる充電電圧が最大許容電圧に達するかまたは第一の電池からの出力電圧が閾値電圧よりも小さい時に充電電流を減少させるように構成されうる。
【００２７】
第二の電池にかかる充電電圧が最大許容電圧に達するかまたは第一の電池からの出力電圧が閾値電圧よりも小さい時に、制御回路は、第一の電池にかかる充電電圧を最大許容電圧かまたはそれに近い電圧に維持するように充電電流を減少させるように構成されうる。
【００２８】
制御回路は、充電電流が最低電流閾値よりも小さいかまたはそれに等しい電流に低下した時に、第二の電池の充電を停止するように構成されうる。
【００２９】
第二の電池はリチウムイオン電池としうる。第一の電池はリチウムイオン電池としうる。
【００３０】
本開示の第一および第二の態様による方法および充電装置は、電子喫煙システムに適用されうる。充電装置は、電子喫煙装置内の二次電池を充電するために使用されうる。電子喫煙装置には、エアロゾル形成基体を加熱するように構成された電動式ヒーターが含まれうる。エアロゾル形成基体は、エンドユーザーが吸入するマウスピース部分を持つ紙巻たばこの形態で提供されうる。二次電池は有利なことに、単一のエアロゾル形成基体を使い果たす一回の喫煙セッションについて十分な電力を提供しうる。
【００３１】
短い再充電時間は、電子紙巻たばこが受け入れられるのに極めて重要である。ところが、ユーザーにとって、単に最大可能な速度が達成できないという理由だけで喫煙装置を充電できないことは望ましくない。本発明の方法および充電装置は、充電装置の電池が老化し劣化した場合でさえも、電子喫煙装置の追加的な充電サイクルが許容される。充電装置は、ユーザーのポケットやバッグでの携帯が簡単なように設計された手持ち式充電装置としうる。
【００３２】
本発明の第三の態様では、充電装置内のプロセッサ上で実行した時、充電装置は装置に接続された二次電池を充電するよう構成された第一の電池を持ち、プロセッサは二次電池の充電を制御するように構成されており、プロセッサに本発明の第一の態様の工程を実行させるコンピュータプログラムが提供されている。
【００３３】
本発明の第四の態様では、第三の態様のコンピュータプログラムが格納されているコンピュータ可読記憶媒体が提供されている。
【００３４】
開示の一つの態様に関連して説明した特徴は、単独で、または本開示で説明されたその他の態様および特徴と組み合わせて、開示のその他の態様に適用されうることが明らかである。
【００３５】
ここで本発明の実施形態を、以下の添付図面を参照しながら詳細に説明する。
【図面の簡単な説明】
【００３６】
【図１】図１は、手持ち型電池作動式喫煙装置、および充電用電池を含む関連する充電装置の概略図である。
【図２】図２は、本開示による充電システムを図示した回路図である。
【図３】図３は、リチウムイオン電池についての典型的な急速充電プロフィールを図示したものである。
【図４】図４は、本開示による修正された充電プロフィールを図示したものである。
【図５】図５は、図４の充電プロフィールについての制御プロセスを図示した流れ図である。
【発明を実施するための形態】
【００３７】
図１は、一次装置１００および二次装置１０２を示す。この例の一次装置１００は、電気加熱式の喫煙システム用の充電ユニットである。この例の二次装置１０２は、エアロゾル形成基体を含む喫煙物品１０４を受けるように適合された電気加熱式エアロゾル発生装置である。二次装置は、作動時にエアロゾル形成基体を加熱するためのヒーターを含む。ユーザーは、喫煙物品１０４のマウスピース部分を吸入して、エアロゾルをユーザーの口の中に吸い込む。二次装置１０２は、二次装置の電源を再充電するために、一次装置１００のくぼみ１１２内に受け入れられるように構成される。
【００３８】
一次装置１００は、二次装置が電気接点１１０と接続されている時に第一の電池１０６から二次装置内の第二の電池に電力を供給するように構成されている、第一の電池１０６、制御電子回路１０８、および電気接点１１０を含む。電気接点１１０は、くぼみ１１２の底部に隣接して提供されている。くぼみは、二次装置１０２を受けるように構成されている。一次装置１００の構成要素は、ハウジング１１６内に格納される。
【００３９】
二次装置１０２は、第二の電池１２６、二次制御電子回路１２８および電気接点１３０を備える。上述の通り、二次装置１０２の第二の再充電可能電池１２６は、電気接点１３０が一次装置１００の電気接点１１０と接触している時に第一の電池１０６から電力供給を受けるように構成されている。二次装置１０２は、喫煙物品１０４を受けるように構成されたくぼみ１３２をさらに含む。例えば、ブレードヒーターの形態のヒーター１３４は、くぼみ１３２の底部に提供される。使用時、ユーザーが二次装置１０２を起動すると、電力が電池１２６から制御電子回路１２８を経由してヒーター１３４に供給される。ヒーターは、エアロゾル発生物品１０４のエアロゾル形成基体からエアロゾルを発生させるのに十分な標準使用温度に加熱される。二次装置１０２の構成要素は、ハウジング１３６内に格納される。このタイプの二次装置は、例えばＥＰ２１１００３３により詳細に記述されている。
【００４０】
エアロゾル形成基体は、加熱に伴い基体から放出される揮発性のたばこ風味化合物を含む、たばこ含有材料を含むことが好ましい。別の方法として、エアロゾル形成基体は、非たばこ材料を含みうる。エアロゾル形成基体は、さらにエアロゾル形成体を含むことが好ましい。適切なエアロゾル形成体の例は、グリセリンおよびプロピレングリコールである。
【００４１】
エアロゾル形成基体は固体の基体であってもよい。固体基体は、例えば、薬草の葉、たばこ葉、たばこの茎の破片、再構成たばこ、均質化したたばこ、押出成形たばこおよび膨化たばこのうち１つ以上を含む、粉末、顆粒、ペレット、断片、スパゲッティ、細片またはシートのうち一つ以上を含みうる。あるいは、エアロゾル形成基体は、液体基体でもよく、また喫煙物品は、液体基体を保持するための手段を含みうる。
【００４２】
この例では、二次装置１０２は電気加熱式の喫煙装置である。このような二次装置１０２は小さい（従来的な紙巻たばこのサイズ）が、数分間（一回の喫煙セッションのために一般的にはおよそ７分間）、高電力を送達しなければならない。次に第二の電池を、再充電のために一次装置１００に戻す必要がありうる。再充電は、少なくとももう一回の完全な喫煙体験が許容されるのに十分なレベルで、数分程度で、好ましくは６分未満で、完了することが望ましい。
【００４３】
一次装置の第一の電池１０６は、それ自体の再充電が必要になる前に、第二の電池１２６を数回再充電するのに十分な電荷を保持するように構成されている。これによって、電気コンセントから再充電する前に、数回の喫煙セッションが可能なポータブルシステムがユーザーに提供される。
【００４４】
小さなサイズ、十分な容量で安全だが、素早く充電および放電することに加えて許容可能な寿命を持つという第二の電池１２６の競合要件を満足するために、この例のように、リン酸鉄リチウム（ＬｉＦｅＰＯ４）電池ケミストリーを使用しうる。この例の第二の電池１２６は円筒形であり、直径１０ｍｍ、長さ３７ｍｍである。この電池は、サイクル当たり９００Ｊを越える８０００サイクルの充電／放電に耐えることができる。平均充電レートは最大１２Ｃである。１Ｃの充電レートは、ゼロ充電からフル充電まで１時間で電池が完全充電されることを意味し、また２Ｃの充電レートは、ゼロ充電からフル充電まで半時間で電池が完全充電されることを意味する。電池容量は１２５ｍＡｈ程度である。最大充電電流は、９８０ｍＡ〜１．５Ａの範囲でありうる。放電は、最大２Ａの１ミリ秒のパルスを使用して実施される。放電レートはヒーターの抵抗に依存し、これはさらにヒーター温度に依存している。周囲温度では放電レートは２８Ｃと高いが、高めの温度ではヒーターの抵抗が増大するため低下する。一般的な使用温度では、放電レートは約１３Ｃである。代替品として、チタン酸リチウム電池を第二の電池のために使用しうる。
【００４５】
一次ユニット１００の第一の電池１０６は、プリズムタイプのコバルト酸リチウム（ＬｉＣｏＯ２）である。第一の電池は、約１３５０ｍＡｈの容量を持ち、第二の電池の容量の１０倍を超える。第二の電池は、第一の電池から２Ｃ〜１６Ｃの間のレートで充電されうる。第一の電池が１Ｃのレートで放電されると、１０Ｃを越える充電レートで第二の電池に供給される。第一の電池の充電は、０〜１．５Ｃのレートで、通常は電池寿命を最大化するために約０．５Ｃのレートで、幹線給電から実施されうる。
【００４６】
コバルト酸リチウム電池は、リン酸鉄リチウムよりも高い電池の電圧を提供し、単一のコバルト酸リチウム電池からのリン酸鉄リチウム電池の充電を可能にする。
【００４７】
図２は、充電システムの概略回路図である。第一の電池１０６は関連付けられた内部抵抗１０７を持つ。制御電子回路は、コントローラ２００およびスイッチモード電力変換装置２０５を備える。スイッチモード電力変換装置２０５は、第一の電池と第二の電池の間に接続されている。コントローラ２００は、スイッチモード電力変換装置内部のスイッチ２０６を切り替え、またそれによって第二の電池１２６にかけられる電圧および電流を調整するように構成される。この例のスイッチモード電力変換装置２０５は、統合型バックブーストコンバータである。
【００４８】
図３は、第二の電池を充電するための標準的な充電プロフィールを示す。図３は、第一の電池２１０からの充電電圧、充電装置からの充電電流２２０、および充電されている第二の電池にかけられる充電電圧２３０を示す。充電プロフィールは、初期定電流位相３００から成る。定電流位相３００中に、充電電圧２３０は一定の最大充電電流Ｉchを提供するように制御される。これは、スイッチモード電力変換装置をオンに切り替えて、最大負荷サイクルで第一の電池から電力変換装置に電圧パルスを適用することにより達成される。これにより、最大レートの充電が提供される。ところが、定充電電流位相３００は、最大充電電流を維持するために要求される第一の電池からの充電電圧が最大充電電圧Ｖchを越えた時に終わる。Ｖchは、第二の電池の寿命を保つレベルに設定される。図３では時点３０３で示されるこの段階に達すると、定電圧位相３０２が始まる。定電圧位相中、充電電圧２３０は最大Ｖchに保持される。定電圧位相中、充電電圧２３０と第二の電池の電池電圧との間の差が低下すると充電電流２２０は低下する。充電プロセスは、充電電流２２０が低い閾値Ｉendに達すると停止する。最大充電電流および最大充電電圧は、電池製造者によって設定される。
【００４９】
図３に図示した充電プロフィールは、図１を参照しながら説明した通り、システムで使用されうる。ところが、電池間充電システムでは、充電用電池の老化に伴いその内部抵抗１０７は増大し、したがって供給可能な電圧が減少する。ただし、定電流位相での最も急速な充電のためには、第一の電池からの充電電圧は、最大充電電圧Ｖchに達することができなければならない。そうでなければ、急速充電プロセスを完了できない。したがって、従来のシステムでは、第一の電池が急速充電プロセスに必要な最小電圧をもはや供給できなくなった時には再充電または交換される必要がある。
【００５０】
図４は、本発明の実施形態による充電プロフィールを図示したものである。図４では、第一の電池からの電池の電圧は、第一の電池が老化してより大きな内部抵抗を持つため、図３と比較して低下している。図４から、充電電流４２０は、充電電圧４３０がその最大Ｖchに達する前に、すなわち定電流位相が普通に終わる前に低下することが分かる。充電電流４２０は、要求されるレベルで充電電圧４３０を維持するために低減される。これは、第一の電池からの電池の電圧４１０出力を事前設定した閾値レベル３．５ボルトより高く保つために電流を調節することにより実行される。充電電圧４３０がＶchに達した時、充電電流は、充電電圧をＶch以下に維持するためにさらに低減される。充電電流がＩendに低下した時、プロセスは再び終了する。
【００５１】
図５は、図３または図４に示すプロフィールに従い、電流を調整するために使用される制御プロセスを図示したものである。プロセスは工程５００で始まり、ここでプロセスのサイクル数の計数が１つ増加する。次に、工程５０５では、計数が奇数または偶数のどちらに達したかが判定される。偶数の場合、プロセスは工程５１０に進み、ここで、第一の電池からのエネルギーがスイッチモード電力変換装置内に蓄積しないように、プロセッサは、スイッチモード電力変換装置内のスイッチをオフに切り替える。次に、プロセスは工程５００に戻り、ここでサイクルの計数が１つ増加する。
【００５２】
次に、工程５０５で偶数に達したと判定されると、プロセスは工程５１５に進む。工程５１５では、第二の電池にかかる充電電圧が最大許容電圧Ｖchに達したかどうかが判定される。標的の電圧に達した場合には、充電電圧を低下させるために充電電流が低減される必要があるため、電力変換装置内のスイッチはオフのままである。次に、プロセスは工程５２０に進み、ここで、定電流位相が終了したという表示がユーザーに提供できるように、プロセッサ内で電圧限度フラグが設定される。
【００５３】
第二の電池にかかる充電電圧が最大電圧よりも低い場合には、プロセスは工程５２５に進む。図３および４の充電プロフィールでわかる通り、工程５２５では、第二の電池への電流が標的の電流Ｉendと比較され、それよりも低くなると充電プロセスが停止されることになる。充電電流が標的の電流より低い場合、プロセスは工程５３０に進み、ここで電流制限フラグが設定される。電流制限フラグは、エンドユーザーに充電が完了したことを示すために使用される。
【００５４】
充電電流が標的の電流よりも大きい場合、プロセスは工程５３５に進む。工程５３５では、第一の電池からの電圧が急速充電のための最小必要電圧よりも大きいかどうかが判定される。第一の電池の電池電圧が最小必要電圧よりも大きい場合には、工程５４５で、プロセッサは電気エネルギーが第一の電池から引き出され、第二の電池にかけられるために電力変換装置内に蓄積されるように、スイッチモード電力変換装置内のスイッチをオンに切り替える。第一の電池の電池電圧が最小必要電圧よりも大きくない場合には、スイッチモード電力変換装置内のスイッチはオフのままであり、また工程５４０では、プロセッサは、第一の電池で再充電または交換が必要であることをエンドユーザーに表示できるように制限電池フラグを設定する。
【００５５】
各工程５２０、５３０、５４０および５４５の後、プロセスは工程５５０に進む。工程５５０では、第一の電池および第二の電池の電圧が新たに測定され、充電電流が新たに測定される。次にこれらの測定値は、次の奇数サイクルで対応する標的値とすぐに比較できるデジタル形式に変換される。
【００５６】
次の偶数サイクルで、工程５１０では、スイッチモード電源内のスイッチがオフに切り替えられ、スイッチモード電源内に蓄積されたエネルギーが第二の電池への充電電流として適用される。先行するサイクル中に工程５４５でスイッチがオン状態に切り替えられていた場合、第二の電池への電圧出力は、先行するサイクルでスイッチがオン状態に切り替えられなかった場合よりも高いレベルになる。低めの出力電圧は、少なめの電流が第一の電池から引き出されることを意味する。第一の電池から低めの電流を引き出すことは、より低い電圧が第一の電池の内部抵抗で低下するため、第一の電池からの電池の電圧を増大させる効果を持つ。図４のプロフィールで分かる通り、最小必要な標的電圧が３．５ボルトの時、この仕組みは電流低下の際に第一の電池の電池電圧を約３．５ボルトに維持する効果を持つ。図５のプロセスはまた、完全に充電された時には充電電流が第二の電池にかけられないように確保する。
【００５７】
このプロセスにより、定電流の後に定電圧という標準の急速充電プロセスを用いてできるよりも数回多く第一の電池が第二の電池を再充電できるようになる。これは、その余分な充電サイクルに対する充電速度を犠牲にしてなされるが、多くの場合、余分な充電サイクルは便利さという点でユーザーにとって大きな利益がある。プロセスは、比較的低い損失を被るため、電力変換装置を使用して第一の電池の電圧を単に上げようとする方法と比較してエネルギー効率が高い。
【００５８】
上述の例示的な実施形態は例証するが限定はしない。上記で考察した例示的な実施形態に照らすことにより、上記の例示的な実施形態と一貫したその他の実施形態は今や当業者には明らかとなろう。
【図１】
2017539191.tif 000003
【図２】
2017539191.tif 000004
【図３】
2017539191.tif 000005
【図４】
2017539191.tif 000006
【図５】
2017539191.tif 000007
【手続補正書】
【提出日】平成29年5月1日(2017.5.1)
【手続補正１】
【補正対象書類名】特許請求の範囲
【補正対象項目名】全文
【補正方法】変更
【補正の内容】
【特許請求の範囲】
【請求項１】
充電装置における第一の電池から電子喫煙装置における第二の電池を充電する方法であって、
前記第一の電池の出力電圧を閾値電圧と比較する工程と、
前記第一の電池からの前記出力電圧が前記閾値電圧と等しいかまたはそれより大きいときに、第一の電流を使用して前記第二の電池を充電する工程と、
前記第一の電池からの前記出力電圧が前記閾値電圧よりも小さいときに、前記第一の電池の前記出力電圧が第二の閾値電圧と等しいかまたはそれより大きくなるまで前記第一の電流を低減させる工程とを含む、方法。
【請求項２】
前記第二の閾値電圧が前記第一の閾値電圧に等しい、請求項１に記載の方法。
【請求項３】
前記電流を減少させる工程が、前記第一の電池と前記第二の電池の間に接続された電力変換装置にかけられる電圧パルスの負荷サイクルを低減する工程を含む、請求項１または２に記載の方法。
【請求項４】
前記比較の工程が、前記第二の電池の充電中に反復的に実施され、また前記低減の工程が、前記比較の工程の結果後に、前記第一の電池と前記第二の電池の間に接続された電力変換装置に電圧パルスを適用しない工程を含む、請求項１〜３のいずれか１項に記載の方法。
【請求項５】
前記第一の電池からの前記出力電圧が前記閾値電圧と等しいかまたはそれより大きいときに、一定の第一の電流を使用して前記第二の電池を充電する工程と、前記第二の電池にかかる前記充電電圧が最大許容電圧に達するかまたは前記第一の電池からの前記出力電圧が前記閾値電圧よりも小さいときに充電電流を減少させる工程とを含む、請求項１〜４のいずれか１項に記載の方法。
【請求項６】
前記第二の電池にかかる前記充電電圧が最大許容電圧に達するかまたは前記第一の電池からの前記出力電圧が前記閾値電圧よりも小さいときに、前記第一の電池にかかる前記充電電圧を前記最大許容電圧かまたはそれに近い電圧に維持するよう前記充電電流を減少させる、請求項５に記載の方法。
【請求項７】
充電装置であって、
前記充電装置に接続された電子喫煙装置における二次電池を充電するよう構成された第一の電池と、前記二次電池の充電を制御するよう構成された制御回路とを備え、前記制御回路が、
前記第一の電池の出力電圧を閾値電圧と比較し、
前記第一の電池からの前記出力電圧が前記閾値電圧と等しいかまたはそれより大きい場合に、第一の電流を使用して前記第二の電池を充電し、
前記第一の電池からの前記出力電圧が前記閾値電圧よりも小さい場合に、前記第一の電池の前記出力電圧が第二の閾値電圧と等しいかまたはそれより大きくなるまで前記第一の電流を減少させるように構成される、充電装置。
【請求項８】
前記制御回路が、前記第一の電池からの前記出力電圧が前記閾値電圧と等しいかまたはそれより大きいときに、一定の第一の電流を使用して前記第二の電池を充電し、前記第二の電池にかかる前記充電電圧が最大許容電圧に達するかまたは前記第一の電池からの前記出力電圧が前記閾値電圧よりも小さいときに、前記充電電流を減少させるように構成される、請求項７に記載の充電装置。
【請求項９】
前記制御回路が、前記第二の電池にかかる前記充電電圧が最大許容電圧に達するかまたは前記第一の電池からの前記出力電圧が前記閾値電圧よりも小さいときに、前記第一の電池にかかる前記充電電圧を前記最大許容電圧かまたはそれに近い電圧に維持するよう前記充電電流を減少させるように構成される、請求項８に記載の充電装置。
【請求項１０】
前記第一の電池と前記第二の電池の間に接続された電力変換装置を備え、前記第一の電池から前記電力変換装置にかけられる電圧パルスの前記負荷サイクルを低減することにより、前記制御回路が前記第一の電流を減少させるように構成される、請求項７、８または９に記載の充電装置。
【請求項１１】
前記制御回路が、前記第二の電池の充電中に前記第一の電池の前記出力電圧を前記閾値電圧と定期的に比較するように構成される、請求項７、８、９または１０のいずれか１項に記載の充電装置。
【請求項１２】
前記制御回路が、前記比較の結果後に、前記第一の電池と前記第二の電池の間に接続された電力変換装置に電圧パルスを適用しないことにより前記第一の電流を減少させるように構成される、請求項１１に記載の充電装置。
【請求項１３】
充電装置におけるプロセッサ上で実行したとき、前記充電装置が、前記充電装置に接続された電子喫煙装置における二次電池を充電するよう構成された第一の電池を持ち、前記プロセッサが前記二次電池の充電を制御するように構成されており、前記プロセッサに請求項１〜６のいずれか１項に記載の方法を実行させる、コンピュータプログラム。
【請求項１４】
請求項１３に記載のコンピュータプログラムを格納する、コンピュータ可読記憶媒体。
【国際調査報告】
2017539191.tif 000008
2017539191.tif 000009